(57)【特許請求の範囲】
【請求項１】
生成条件に従って、原稿を読み取り画像ファイルを生成する画像処理装置であって、
可搬型記録媒体が接続される接続部と、
前記接続部に接続され、前記画像ファイルの生成条件を設定するための設定情報が格納されている可搬型記録媒体から、前記設定情報を取得する第１の取得手段と、
前記設定情報が格納されている設定情報格納部から、前記設定情報を取得する第２の取得手段と、
前記生成条件の入力を受け付ける入力受付手段と、
前記生成条件を設定する設定手段と、
設定された前記生成条件に従い、前記原稿を読み取り、画像ファイルを生成する画像ファイル生成手段と、
生成された前記画像ファイルを前記可搬型記録媒体に格納する格納手段と、
を備え、
前記設定手段は、
ｉ）前記第１の取得手段による前記設定情報の取得が可能な場合は、前記可搬型記録媒体から取得した前記設定情報に従って前記生成条件を設定し、
ｉｉ）前記第１の取得手段による前記設定情報の取得が不可能であり、かつ、前記第２の取得手段による前記設定情報の取得が可能な場合は、前記設定情報格納部から取得した前記設定情報に従って前記生成条件を設定し、
ｉｉｉ）前記第１の取得手段による前記設定情報の取得が不可能であり、かつ、前記第２の取得手段による前記設定情報の取得が不可能である場合は、前記入力受付手段により取得した内容に従って前記生成条件を設定する、画像処理装置。
【請求項２】
請求項１記載の画像処理装置であって、更に、
前記設定手段により設定された前記生成条件を変更する変更手段と、
前記変更された後の生成条件に従い、新たな設定情報を作成する設定情報作成手段を備え、
前記画像ファイル生成手段は、前記変更された後の生成条件に従い前記画像ファイルを生成し、
前記格納手段は、前記生成された画像ファイルと前記作成された新たな設定情報を前記可搬型記録媒体に格納する、画像処理装置。
【請求項３】
請求項２記載の画像処理装置であって、
前記格納手段は、前記可搬型記録媒体に予め格納されている設定情報がある場合は、前記予め格納されている設定情報を、前記作成された新たな設定情報で置換する、画像処理装置。
【請求項４】
生成条件に従って、原稿を読み取り、画像ファイルを生成する画像処理装置が実行する画像ファイル生成方法であって、
（ａ）前記画像ファイルの生成条件を設定するための設定情報が格納されている可搬型記録媒体から前記設定情報を取得する工程と、
（ｂ）前記設定情報が格納されている設定情報格納部から、前記設定情報を取得する工程と、
（ｃ）前記生成条件の入力を受け付ける工程と、
（ｄ）前記生成条件を設定する工程と、
（ｅ）設定された前記生成条件に従い、前記原稿を読み取り、画像ファイルを生成する工程と、
（ｆ）生成された前記画像ファイルを前記可搬型記録媒体に格納する工程と、
を備え、
前記工程（ｄ）は、
ｉ）前記工程（ａ）による前記設定情報の取得が可能な場合は、前記可搬型記録媒体から取得した前記設定情報に従って前記生成条件を設定し、
ｉｉ）前記工程（ａ）による前記設定情報の取得が不可能であり、かつ、前記工程（ｂ）による前記設定情報の取得が可能な場合は、前記設定情報格納部から取得した前記設定情報に従って前記生成条件を設定し、
ｉｉｉ）前記工程（ａ）による前記設定情報の取得が不可能であり、かつ、前記工程（ｂ）による前記設定情報の取得が不可能である場合は、前記工程（ｃ）により取得した内容に従って前記生成条件を設定する、画像ファイル生成方法。
【発明の詳細な説明】
【技術分野】
【０００１】
本発明は、原稿を読み取り画像データを生成するスキャナ機能を備える画像処理装置に関するものである。
【背景技術】
【０００２】
原稿、例えば、写真や文書を読み取り、画像データを生成するスキャナ装置が利用されている。スキャナ装置には、生成条件、例えばファイル形式やカラーモードに従い、原稿を読み取って画像ファイルに変換し、かかる画像ファイルを記憶媒体に格納する機能を備えるものがある。このようなスキャナ装置には、複数の生成条件が記録されているジョブメモリが備えられており、スキャナ装置は、ユーザによって指定されたジョブメモリを呼び出して生成条件を設定し、原稿の読み取りおよび画像ファイルの保存を行う。ジョブメモリに記録される生成条件数は、スキャナ装置内に備えられているジョブメモリ用の不揮発性メモリの容量に依存する。
【０００３】
【特許文献１】特開平１１−１１２７２０号公報
【発明の開示】
【発明が解決しようとする課題】
【０００４】
しかしながら、従来の技術では、生成条件を増やすためにはジョブメモリ用の不揮発性メモリの容量を増やす必要があるが、不揮発性メモリの容量を増やすことによりコストが増大するという問題がある。また、スキャナ装置内のジョブメモリ用の不揮発性メモリの容量を増やして生成条件を増やしたとしても、多数の生成条件の中から所望する生成条件を選択することはユーザにとって煩雑である。
【０００５】
本発明は、上述した課題に鑑みてなされたものであり、生成条件に従って原稿を読み取り、生成された画像ファイルを記憶媒体に保存するスキャナ装置を利用する際に、所望の生成条件を簡易に設定することを目的とする。
【課題を解決するための手段】
【０００６】
上記課題の少なくとも一部を解決するために、本発明は、生成条件に従って、原稿を読み取り画像ファイルを生成する画像処理装置において、可搬型記録媒体が接続される接続部と、前記接続部に接続され、前記画像ファイルの生成条件を設定するための設定情報が予め格納されている可搬型記録媒体から、前記設定情報を取得する取得手段と、前記設定情報に基づき、前記生成条件を設定する設定手段と、
前記設定された生成条件に従い、前記原稿を読み取り、画像ファイルを生成する画像ファイル生成手段と、前記生成された画像ファイルを前記可搬型記録媒体に格納する格納手段と、を備えることを要旨とする。
【０００７】
本発明の画像処理装置によれば、可搬型記録媒体に予め格納されている設定情報に基づき生成条件を設定することができる。従って、ユーザは、本発明の画像処理装置を利用することにより、所望の生成条件を容易に設定することができ、ユーザの利便性を向上できる。
【０００８】
本発明の画像処理装置において、更に、前記設定手段により設定された前記生成条件を変更する変更手段と、前記変更された後の生成条件に従い、新たな設定情報を作成する設定情報作成手段を備え、前記画像ファイル生成手段は、前記変更後の生成条件に従い前記画像ファイルを生成し、前記格納手段は、前記作成された設定情報を前記可搬型記録媒体に格納してもよい。
【０００９】
本発明の画像処理装置によれば、予め可搬型記録媒体に格納されている設定情報に基づいて設定された生成条件を、任意に変更できる。従って、ユーザは、柔軟に生成条件を設定することができる。また、変更された生成条件が反映された設定情報を生成して可搬型記録媒体に記録することができるため、変更された後の生成条件を次回以降も利用でき、ユーザの利便性を向上できる。
【００１０】
本発明の画像処理装置において、前記格納手段は、前記可搬型記録媒体に予め格納されている設定情報を前記作成された設定情報に置き換えて、前記作成された設定情報を前記可搬型記録媒体に格納してもよい。
【００１１】
本発明の画像処理装置によれば、可搬型記録媒体には、予め格納されている設定情報に代えて今回設定した生成条件が反映される設定情報が格納されるため、ユーザは、次回以降、今回設定した生成条件を容易に設定できる。
【００１２】
本発明の第２の構成として、生成条件に従って、原稿を読み取り、画像ファイルを生成する画像処理装置において、前記生成条件の設定値を設定する生成条件設定手段と、前記設定された生成条件の設定値に従い、前記原稿を読み取り画像ファイルを生成する画像ファイル生成手段と、前記設定された生成条件に従い、前記生成条件を設定するための設定情報を作成する設定情報作成手段と、前記生成された画像ファイルと前記作成された設定情報を前記可搬型記録媒体に格納する格納手段と、を備えることを要旨とする。
【００１３】
本発明の画像処理装置によれば、設定された生成条件を再現する設定情報を作成し、かかる設定情報を画像データの保存先とされている可搬型記録媒体に格納することができる。従って、ユーザは、次回以降、可搬型記録媒体に格納されている設定情報を利用して簡易に生成条件を設定できるため、ユーザの利便性を向上できる。
【００１４】
本発明の画像処理装置において、更に、前記生成条件の入力を受け付ける入力受付手段を備え、前記生成条件設定手段は、前記入力に応じて前記生成条件を設定してもよい。
【００１５】
本発明の画像処理装置によれば、ユーザによって任意に入力された生成条件が反映された設定情報を作成し、作成された設定情報を可搬型記録媒体に格納できる。従って、ユーザは、次回以降、可搬型記録媒体に格納されている設定情報を画像処理装置に読み込ませることにより、簡易に生成条件を設定できる。
【００１６】
本発明の画像処理装置において、更に、予め設定情報が格納されている設定情報格納部を備え、前記生成条件設定手段は、前記設定情報格納部から前記設定情報を取得し、前記取得された設定情報に基づいて前記生成条件を設定してもよい。
【００１７】
本発明の画像処理装置によれば、予め画像処理装置に格納されている設定情報を可搬型記録媒体に格納できる。従って、ユーザは、可搬型記録媒体に格納されている設定情報を読み込んで生成条件を設定する他の画像処理装置に読み込ませることにより、簡易な構成で容易に生成条件を設定できる。
【００１８】
本発明の画像処理装置において、更に、前記設定された生成条件を変更する変更手段を備え、前記画像ファイル生成手段は、前記変更された生成条件に従い前記画像ファイルを生成し、前記設定情報作成手段は、前記変更された生成条件に従って前記設定情報を作成し、前記格納手段は、前記生成された画像ファイルと前記作成された設定情報を前記可搬型記録媒体に格納してもよい。
【００１９】
本発明の画像処理装置によれば、予め画像処理装置に格納されている設定情報に基づいて設定された生成条件を任意に変更できる。従って、ユーザは、柔軟に生成条件を設定することができる。また、変更された生成条件が反映された設定情報を作成して可搬型記録媒体に記録することができるため、変更された後の生成条件を次回以降も利用でき、ユーザの利便性を向上できる。
【００２０】
本発明において、上述した種々の態様は、適宜、組み合わせたり、一部を省略したりして適用することができる。また、本発明は、上述した画像処理装置としての構成の他に、画像処理装置による画像ファイル生成方法、画像処理装置に画像ファイルを生成させるためのコンピュータプログラム、かかるコンピュータプログラムをコンピュータ読み取り可能に記録した記録媒体等としても構成できる。いずれの構成においても、上述した各態様を適宜適用可能である。コンピュータが読み取り可能な記録媒体としては、例えば、フレキシブルディスクや、ＣＤ−ＲＯＭ、ＤＶＤ−ＲＯＭ、光磁気ディスク、ＩＣカード、ハードディスク等種々の媒体を利用することが可能である。
【発明を実施するための最良の形態】
【００２１】
以下、本発明の実施の形態について、実施例に基づき、適宜、図面を参照しながら説明する。
Ａ．実施例：
Ａ１．システム構成：
図１は、第１実施例における画像ファイル生成システム１０００のシステム構成を例示する説明図である。画像ファイル生成システム１０００は、画像処理装置１０とＵＳＢメモリ７０を有する。画像処理装置１０は、スキャナ機能、コピー機能、ファクシミリ機能を備える複合機である。以降、本実施例では、画像処理装置１０を複合機１０と呼ぶ。複合機１０は、原稿セットエリア１１、第１ＵＳＢポート１３ａ、第２ＵＳＢポート１３ｂ、第３ＵＳＢポート１３ｃ、操作パネル１５を有する。複合機１０は、生成条件に含まれる種々のパラメータ、例えば、読み取る原稿タイプや生成される画像ファイルのファイル形式、に従って原稿を読み取り、画像ファイルを生成する。
【００２２】
ＵＳＢメモリ７０には、予め、１つもしくは複数の設定ファイル２００が格納されている。設定ファイル２００には、生成条件の種々のパラメータが含まれる。設定ファイル２００については、後述する。本実施例では、ＵＳＢメモリ７０は、複合機１０のＵＳＢポート１３ａに接続される。
【００２３】
複合機１０は、スキャナ機能が選択されると、第１ＵＳＢポート１３ａに接続されたＵＳＢメモリ７０から設定ファイル２００を取得し、設定ファイル２００に含まれるパラメータに基づいて生成条件を設定する。複合機１０は、設定された生成条件に従い原稿を読み取って画像ファイルを生成し、生成された画像ファイルをＵＳＢメモリ７０に保存する。複合機１０は、例えば、設定ファイル２００によって設定された生成条件がユーザによって変更された場合に設定ファイルを新たに作成し、作成された設定ファイルを画像ファイルの保存先と同じＵＳＢメモリ７０に格納する。
【００２４】
Ａ２．機能ブロック：
複合機１０の機能ブロックについて図２を用いて説明する。図２は、本実施例における複合機１０の機能ブロックを例示する説明図である。複合機１０は、ＣＰＵ２０、ＲＡＭ２１、メモリ２２、設定ファイル格納部２４、操作パネル１５、ＵＳＢポート１３ａ、ＵＳＢポート１３ｂ、ＵＳＢポート１３ｃ、ＵＳＢコントローラ１４ａ、ＵＳＢコントローラ１４ｂ、ＵＳＢコントローラ１４ｃを備える。メモリ２２には、表示制御モジュール２３、スキャナ機能モジュール３０、コピー機能モジュール４０、および、ファクシミリ機能モジュール５０が含まれる。スキャナ機能モジュール３０には、生成条件設定モジュール３１、画像ファイル生成モジュール３２、設定ファイル作成モジュール３３、および、保存モジュール３４が含まれる。コピー機能モジュール４０は、原稿セットエリア１１にセットされた原稿をコピーするための機能モジュールである。ファクシミリ機能モジュール５０は、原稿セットエリア１１にセットされた原稿を指定された送信先に送信する機能モジュールである。各機能ブロックはソフトウェア的に構成され、ＣＰＵ２０により制御される。
【００２５】
ＵＳＢコントローラ１４ａ〜１４ｃは、それぞれ対応するＵＳＢポート１３ａ〜１３ｃに接続されるＵＳＢデバイスを制御するためのコントローラである。
【００２６】
設定ファイル格納部２４は不揮発性のメモリにより構成されている。設定ファイル格納部２４は複数の領域に分割されており、各領域に１つの設定ファイルが予め格納されている。すなわち、設定ファイル格納部２４には、最大、分割された領域数の設定ファイルを格納される。
【００２７】
生成条件設定モジュール３１は、原稿を読み取って画像ファイルを生成する際の生成条件を設定する。生成条件設定モジュール３１が生成条件を設定するには大きくわけて３つのパターンがある。第１に、生成条件設定モジュール３１は、ＵＳＢメモリ７０に格納されている設定ファイル２００を読み込み、生成条件を設定する。第２に、生成条件設定モジュール３１は、複合機１０の設定ファイル格納部２４に格納されている設定ファイルを読み込み、生成条件を設定する。第３に、生成条件設定モジュール３１は、ユーザの入力に応じて生成条件を設定する。
【００２８】
画像ファイル生成モジュール３２は、生成条件設定モジュール３１により設定された生成条件に従って、原稿セットエリア１１にセットされた原稿を読み込んで画像ファイルを生成する。
【００２９】
設定ファイル作成モジュール３３は、設定されている生成条件に従って設定ファイルを作成する。設定ファイル作成モジュール３３は、例えば、ＵＳＢメモリ７０に設定ファイル２００が格納されていない場合、設定ファイルに基づいて設定された生成条件がユーザによって変更された場合に、画像ファイルが生成された際の生成条件のパラメータを含む設定ファイルを作成し、ＵＳＢメモリ７０に格納する。
【００３０】
保存モジュール３４は、いずれかのＵＳＢポートを画像ファイルの保存先に指定し、指定されたＵＳＢポートに接続されているＵＳＢデバイスに、画像ファイル生成モジュール３２によって生成された画像ファイルを保存する。なお、保存モジュール３４は、第１ＵＳＢポート１３ａを他のＵＳＢポートよりも優先的に画像ファイルの保存先に指定する。
【００３１】
操作パネル１５は、ディスプレイと、ユーザからの操作を受け付ける受付部を備える。ユーザからの操作とは、例えば、生成条件の変更が含まれる。
【００３２】
操作パネル１５の詳細について、図３を参照して説明する。図３は、本実施例における操作パネル１５を例示する説明図である。操作パネル１５は、ディスプレイ１００と受付部１０１とを備える。受付部１０１には、キーボタン１０２と、クリアボタン１０３と、スタートボタン１０４が備えられている。ディスプレイ１００はタッチパネルが用いられている。
【００３３】
ディスプレイ１００には、生成条件、メニューボタン等が表示される。キーボタン１０２は、設定ファイルの選択等、種々の入力を行うためのボタンである。クリアボタン１０３は、それまでの入力を取り消すためのボタンである。スタートボタン１０４は、設定された生成条件に従って原稿を読み取り画像ファイル生成する処理を開始するためのボタンである。
【００３４】
Ａ３．画像ファイル生成処理：
複合機１０の画像ファイル生成処理について、図４〜図６のフローチャートに沿って、適宜、図７〜図１２を参照しながら説明する。図４は、画像ファイル生成処理の全体的な流れを説明するフローチャートである。図５は、生成条件設定処理を詳細に説明するフローチャートである。図６は、設定ファイルを格納する処理を詳細に説明するフローチャートである。図７、図８、図１０、図１２は、画像ファイル生成処理における画面例を説明する説明図である。図９は、設定ファイルの内容を例示する説明図である。図１１は、画像ファイルの保存先情報について説明する説明図である。画像ファイル生成処理は、厳密には、ＣＰＵ２０が各モジュールを実行することにより行われるが、ここでは、説明を明瞭とするため各モジュールが適宜処理を行うものとして説明する。
【００３５】
画像ファイル生成処理について説明する前に、ディスプレイ１００に表示される基本画面１１０について説明する。図７に示すディスプレイ１００には、基本画面１１０が表示されている。表示制御モジュール２３は複合機１０の電源が投入された際、または、クリアボタン１０３が押下された際に、基本画面１１０をディスプレイ１００に表示する。基本画面１１０には、コピー機能選択ボタン１１１、ＦＡＸ機能選択ボタン１１２およびスキャン機能選択ボタン１１３が表示される。ユーザは、各ボタンを押下することにより所望する機能を選択する。例えば、ユーザはスキャニング機能を所望する場合、スキャン機能選択ボタン１１３を押下する。
【００３６】
画像ファイル生成処理について説明する。保存モジュール３４は、スキャン機能選択ボタン１１３が押下されたことを検出する（ステップＳ１０）と、ＵＳＢポート１３ａ〜１３ｃにＵＳＢデバイスが接続されているか否かを判断する（ステップＳ１１）。具体的には、各ＵＳＢポートにＵＳＢデバイスが接続されているか否かに関する接続情報を各ＵＳＢポートに対応するＵＳＢコントローラが保持しており、保存モジュール３４は、各ＵＳＢコントローラに問い合わせて、ＵＳＢポートにＵＳＢデバイスが接続されているかを判断する。
【００３７】
保存モジュール３４は、ＵＳＢデバイスが接続されていないと判断した場合（ステップＳ１１：ＮＯ）、表示制御モジュール２３を介して、ディスプレイ１００にエラーメッセージ１２０を表示する（ステップＳ１２）。エラーメッセージ１２０には、図８に示すように、ＵＳＢデバイスの接続が検出できない旨が通知され、あわせて、ユーザにデバイスの接続を促すためのメッセージが表示される。
【００３８】
保存モジュール３４は、ＵＳＢデバイスが接続されていると判断した場合（ステップＳ１１：ＹＥＳ）、第１ＵＳＢポート１３ａにＵＳＢデバイスが接続されているかを判断する（ステップＳ１３）。第１ＵＳＢポート１３ａにＵＳＢデバイスが接続されている場合（ステップＳ１３：ＹＥＳ）、保存モジュール３４は、第１ＵＳＢポートを画像ファイルの保存先に指定（ステップＳ１５）する。画像ファイルの保存先が指定されると、生成条件設定モジュール３１は、生成条件設定処理を実行する（ステップＳ１６）。
【００３９】
生成条件設定処理について、図５を用いて詳細に説明する。生成条件設定モジュール３１は、画像ファイルの保存先に指定されたＵＳＢポートに接続されているＵＳＢデバイスに設定ファイルが格納されているかを判断する（ステップＳ３０）。ＵＳＢデバイスに設定ファイルが格納されている場合（ステップＳ３０：ＹＥＳ）、生成条件設定モジュール３１は、ＵＳＢデバイスから設定ファイルを取得し、取得された設定ファイルに含まれる生成条件のパラメータを複合機１０の生成条件に反映する（ステップＳ３１）。本実施例では、第１ＵＳＢポート１３ａに接続されているＵＳＢメモリ７０から設定ファイル２００を取得し、設定ファイル２００に含まれる生成条件のパラメータを複合機１０の生成条件に設定し生成条件表示画面１３０をディスプレイ１００に表示する。設定ファイル２００の内容について、および、生成条件表示画面１３０について以下に説明する。
【００４０】
まず、設定ファイル２００の内容について、図９を用いて説明する。設定ファイル２００には、生成条件に設定される各パラメータ２０１〜２０６が記述されている。例えば、パラメータ２０５には、「ファイル形式＝ＰＤＦ」と記述されている。これは、生成条件の「ファイル形式」に「ＰＤＦ」と設定するためのパラメータである。また、例えば、パラメータ２０６には、「ファイル名ヘッダ＝Ｎａｋａｍｕｒａ」と記述されている。これは、生成される画像ファイルのファイル名のヘッダ部分に「Ｎａｋａｍｕｒａ」が含まれるように設定するためのパラメータである。
【００４１】
次に、生成条件表示画面１３０について図１０を用いて説明する。生成条件表示画面１３０には、原稿サイズ設定部１３１、カラーモード設定部１３２、原稿タイプ設定部１３３、ファイル形式設定部１３４、設定ファイル選択ボタン１３５、および、保存先情報表示部１３６が表示される。原稿サイズ設定部１３１、カラーモード設定部１３２、原稿タイプ設定部１３３およびファイル形式設定部１３４は、生成条件を示す。
【００４２】
原稿サイズ設定部１３１は、複合機１０が読み取る原稿サイズおよび読み取る原稿の面を示す。原稿サイズ設定部１３１には、サイズ表示部１３１ａと変更ボタン１３１ｂが表示される。サイズ表示部１３１ａには、設定ファイル２００のパラメータ２０１およびパラメータ２０２が反映される。
【００４３】
カラーモード設定部１３２は、複合機１０が読み取る際に可能なカラーモードを示す。カラーモード設定部１３２には、カラーモードの種類を示す、白黒ボタン１３２ａ、カラーボタン１３２ｂ、および、グレイボタン１３２ｃが表示される。カラーモード設定部１３２には、設定ファイル２００のパラメータ２０３が反映され、該当するカラーモードのボタンが選択される。本実施例では、複合機１０の生成条件のカラーモードはパラメータ２０３に設定されているように「カラー」であり、図にハッチングで示すようにカラーボタン１３２ｂが選択される。
【００４４】
原稿タイプ設定部１３３は、複合機１０が読み取る対象となる原稿のタイプを示す。原稿タイプ設定部１３３には、原稿タイプの種類を示す、文字ボタン１３３ａ、写真ボタン１３３ｂが表示される。原稿タイプ設定部１３３には、設定ファイル２００のパラメータ２０４が反映される。本実施例では、複合機１０の生成条件の原稿タイプはパラメータ２０４に設定されているように「写真」であり、図にハッチングで示すように写真ボタン１３３ｂが選択される。
【００４５】
ファイル形式設定部１３４は、複合機１０により生成される画像ファイルのファイル形式を示す。ファイル形式設定部１３４には、ファイル形式の種類を示す、ＰＤＦボタン１３４ａ、ＴＩＦＦボタン１３４ｂ、および、ＪＰＥＧボタン１３４ｃが表示される。ファイル形式設定部１３４には、設定ファイル２００のパラメータ２０５が反映される。本実施例では、複合機１０の生成条件のファイル形式はパラメータ２０５に設定されているように「ＰＤＦ」であり、図にハッチングで示すようにＰＤＦボタン１３４ａが選択される。
【００４６】
保存先情報表示部１３６は、生成される画像ファイルの保存先に関する保存先情報が表示される。保存先情報について図１１を用いて説明する。保存先情報１３７は、ＵＳＢデバイス情報１３７ａ、ディレクトリ情報１３７ｂ、および、ファイル名１３７ｃから構成され、ＵＳＢデバイス情報１３７ａとディレクトリ情報１３７ｂとの区切り、および、ディレクトリ情報１３７ｂとファイル名１３７ｃとの区切りを「￥」により示す。
【００４７】
ＵＳＢデバイス情報１３７ａは、保存先に指定されたＵＳＢデバイスのポート番号を表す。例えば、保存先に指定されたＵＳＢデバイスが第１ＵＳＢポート１３ａに接続されている場合、ＵＳＢデバイス情報１３７ａは「ＵＳＢ１」である。
【００４８】
ディレクトリ情報１３７ｂは、生成された画像ファイルが保存されるディレクトリの名前を示す。かかるディレクトリは、保存モジュール３４により、画像ファイルの保存先に指定されたＵＳＢデバイス内に生成される。なお、ディレクトリの名前は「複合機１０の機種名＿複合機１０のシリアル番号」という規則に従って作成される。本実施例では、複合機１０の機種名は「ＬＰ−９００」、複合機１０のシリアル番号は「０１２３」であるため、図１１に示すように、ディレクトリ情報１３７ｂは「ＬＰ−９００＿０１２３」である。
【００４９】
ファイル名１３７ｃは、画像ファイル生成モジュール３２により生成される画像ファイルのファイル名を表す。ファイル名は、「ファイル名ヘッダ＿通し番号．拡張子という規則に従って作成される。本実施例では、ファイル名ヘッダは、設定ファイル２００のパラメータ２０６に記述されているように「Ｎａｋａｍｕｒａ」であり、拡張子は設定ファイル２００のパラメータ２０５に記述されているように「ＰＤＦ」であるため、図１１に示すように、ファイル名１３７ｃは「Ｎａｋａｍｕｒａ＿００１．ｐｄｆ」である。
【００５０】
すなわち、保存先情報１３７は、生成される画像ファイルの保存先は、第１ＵＳＢポート１３ａに接続されているＵＳＢデバイス内のディレクトリ「ＬＰ−９００＿０１２３」内であり、生成される画像ファイルのファイル名は「Ｎａｋａｍｕｒａ＿００１．ｐｄｆ」であることを示している。
【００５１】
画像ファイルの保存先に指定されたＵＳＢデバイスに設定ファイルが存在しない場合（ステップＳ３０：ＮＯ）、生成条件設定モジュール３１は、設定ファイル格納部２４に格納されている設定ファイルが選択されたか否かを判断する（ステップＳ３２）。具体的には、生成条件設定モジュール３１は、図１０の生成条件表示画面１３０に表示されている設定ファイル選択ボタン１３５が押下されると、設定ファイルをユーザに選択させるための画面を表示し、ユーザからの入力に応じて設定ファイル格納部２４に格納されている複数の設定ファイルのうちいずれかの設定ファイルを選択する。
【００５２】
設定ファイル格納部２４に格納されている設定ファイルが選択された場合（ステップＳ３２：ＹＥＳ）、生成条件設定モジュール３１は、選択された設定ファイルに含まれるパラメータを、複合機１０の生成条件に反映する（ステップＳ３３）。設定ファイル格納部２４に格納されている設定ファイルが選択されない場合（ステップＳ３２：ＮＯ）、生成条件設定モジュール３１は、ユーザからの入力に応じて生成条件を個別に設定する（ステップＳ３４）。ユーザは、生成条件表示画面１３０の原稿サイズ設定部１３１、カラーモード設定部１３２、原稿タイプ設定部１３３およびファイル形式設定部１３４に表示されている各種ボタンを押下することにより所望の生成条件を入力する。
【００５３】
生成条件設定モジュール３１は、ユーザによって、生成条件表示画面１３０に表示されている生成条件が変更されたか否かを判断する（ステップＳ３５）。生成条件が変更された場合（ステップＳ３５：ＹＥＳ）、生成条件設定モジュール３１は、変更された内容を複合機１０の生成条件に反映し（ステップＳ３６）、生成条件設定処理を終了してステップＳ１７に移行する。ユーザは、生成条件を個別に入力する場合と同じように、生成条件表示画面１３０の原稿サイズ設定部１３１、カラーモード設定部１３２、原稿タイプ設定部１３３およびファイル形式設定部１３４に表示されている各種ボタンを押下することにより所望の生成条件を変更する。
【００５４】
生成条件が変更されない場合（ステップＳ３５：ＮＯ）、生成条件設定モジュール３１は、生成条件設定処理を終了し、ステップＳ１７に移行する。
【００５５】
ＵＳＢデバイスが第１ＵＳＢポート１３ａに接続されていない場合（ステップＳ１３：ＮＯ）、保存モジュール３４は、画像データの保存先を選択する（ステップＳ１４）。具体的には、保存モジュール３４は、ディスプレイ１００に保存先選択画面１４０を表示し。ユーザによって選択されたＵＳＢデバイスを画像ファイルの格納先として指定する。
【００５６】
保存先選択画面１４０について、図１２を用いて説明する。保存先選択画面１４０には、保存先リスト１４１、キャンセルボタン１４３および決定ボタン１４５が表示される。
【００５７】
保存先リスト１４１には、複合機１０の各ＵＳＢポートに接続されているＵＳＢデバイスが表示される。保存先リスト１４１において、「ＵＳＢ１」は第１ＵＳＢポート１３ａを表す。同様に、「ＵＳＢ２」は第２ＵＳＢポート１３ｂを表し、「ＵＳＢ３」は第３ＵＳＢポート１３ｃを表す。ＵＳＢデバイスが接続されていないＵＳＢポートについては、保存先リスト１４１では「未接続」と表示される。例えば、図１２に示すように、保存先リスト１４１では、「ＵＳＢ１：  未接続」と表示されており、第１ＵＳＢポート１３ａにＵＳＢデバイスが接続されていないことを表す。また、保存先リスト１４１では「ＵＳＢ２：  ＵＳＢメモリ」と表示されており、第２ＵＳＢポート１３ｂにはＵＳＢメモリが接続されていることを表す。同様に、保存先リスト１４１では「ＵＳＢ３：  カードリーダ」と表示されており、第３ＵＳＢポート１３ｃにはカードリーダが接続されていることを表す。
【００５８】
保存先リスト１４１において、ＵＳＢデバイスが接続されているＵＳＢポートのうち、いずれかのＵＳＢポートが選択された状態で決定ボタン１４５が押下されると、保存先情報表示部１３６に選択されたＵＳＢポートを反映し、生成条件表示画面１３０を表示する。例えば、第２ＵＳＢポート１３ｂが選択された状態で決定ボタン１４５が押下されると、生成条件表示画面１３０の保存先情報表示部１３６には、「ＵＳＢ２￥ＬＰ−９００＿０１２３￥Ｎａｋａｍｕｒａ＿００１．ｐｄｆ」と表示される。
【００５９】
保存先選択画面１４０のキャンセルボタン１４３が押下されると、ディスプレイ１００の表示は、生成条件表示画面１３０に戻る。
【００６０】
生成条件設定処理が終了すると、設定ファイル作成モジュール３３は、操作パネル１５のスタートボタン１０４が押下されたか否かを判断する（ステップＳ１７）。スタートボタンが押下されていないと設定ファイル作成モジュール３３により判断された場合（ステップＳ１７：ＮＯ）、表示制御モジュール２３は、クリアボタン１０３が押下されたか否かを判断する（ステップＳ１８）。クリアボタン１０３が押下された場合、表示制御モジュール２３は、それまでの入力を取り消し、基本画面１１０を表示する。
【００６１】
スタートボタンが押下された場合（ステップＳ１７：ＹＥＳ）、設定ファイル作成モジュール３３は、その時点において設定されている生成条件の各パラメータが含まれる設定ファイルを作成し（ステップＳ１９）、保存先に指定されたＵＳＢデバイスに作成された設定ファイルを格納する処理を行う（ステップＳ２０）。
【００６２】
設定ファイル格納処理について、図６を用いて詳細に説明する。設定ファイル作成モジュール３３は、画像ファイル保存先に指定されたＵＳＢデバイスに予め設定ファイルが格納されているか否かを判断する（ステップＳ５０）。保存先に指定されたＵＳＢデバイスに予め設定ファイルが格納されていない場合（ステップＳ５０：ＮＯ）、設定ファイル作成モジュール３３は、作成された設定ファイルを、画像ファイルの保存先に指定されているＵＳＢデバイスに格納する（ステップＳ５３）。
【００６３】
画像ファイルの保存先に指定されたＵＳＢデバイスに予め設定ファイルが格納されている場合（ステップＳ５０：ＹＥＳ）、設定ファイル作成モジュール３３は、予めＵＳＢデバイスに格納されている設定ファイルを、新たに作成された設定ファイルに置き換えるか否かをユーザに判断させるための画面を表示し、ユーザからの入力に応じて、予めＵＳＢデバイスに格納されている設定ファイルを、新たに作成された設定ファイルに置き換えるか否かを判断する（ステップＳ５１）。設定ファイル作成モジュール３３は、予めＵＳＢデバイスに格納されている設定ファイルを、新たに作成された設定ファイルに置き換えないと判断した場合（ステップＳ５１：ＮＯ）、作成された設定ファイルを、画像ファイルの保存先に指定されているディレクトリに格納する（ステップＳ５３）。この場合、保存先に指定されているＵＳＢデバイスには、予め格納されている設定ファイルと新たに作成された設定ファイルとが共に格納される。すなわち、ＵＳＢデバイスデバイスには、複数の設定ファイルが格納される。
【００６４】
設定ファイル作成モジュール３３は、ＵＳＢデバイスに予め格納されている設定ファイルを、新たに作成された設定ファイルに置き換えると判断した場合（ステップＳ５１：ＹＥＳ）、ＵＳＢデバイスに予め格納されている設定ファイルを削除し（ステップＳ５２）、新たに作成された設定ファイルをＵＳＢデバイスに格納する（ステップＳ５３）。
【００６５】
設定ファイル格納処理が終了すると、画像ファイル生成モジュール３２は、設定されている生成条件に従って原稿を読み取り、画像ファイルを生成する（ステップＳ２１）。保存モジュール３４は、保存先として指定されたＵＳＢデバイスのディレクトリに、生成された画像ファイルを保存する（ステップＳ２２）。
【００６６】
以上説明した実施例の画像ファイル生成システム１０００によれば、可搬型のＵＳＢデバイスに予め設定ファイルが格納されているため、ユーザは、ＵＳＢデバイスを複合機１０に接続するだけで、複合機１０の生成条件を設定できる。従って、ユーザは簡易な構成で容易に所望の生成条件を設定し、所望の生成条件で生成された画像ファイルをＵＳＢデバイスに格納できるため、ユーザの利便性を向上できる。
【００６７】
また、実施例の画像ファイル生成システム１０００によれば、画像ファイルの保存先に指定されているＵＳＢデバイスに設定ファイルが格納されていない場合にも、予め複合機１０に準備されている設定ファイルを利用して生成条件を設定し、設定された生成条件の各パラメータを含む設定ファイルを作成してＵＳＢデバイスに格納できる。従って、ユーザは、次回以降は、ＵＳＢメモリを複合機１０に接続するだけで、今回利用した生成条件を簡易に設定できる。
【００６８】
また、実施例の画像ファイル生成システム１０００によれば、ＵＳＢデバイスに予め設定ファイルが格納されている場合に、予め格納されている設定ファイルと新たに作成された設定ファイルとを置き換えられる。従って、ユーザは最新の生成条件のパラメータが含まれる設定ファイルのみをＵＳＢデバイスに保持できるため、次回以降、簡易に生成条件を設定できる。
【００６９】
また、実施例の画像ファイル生成システム１０００によれば、ＵＳＢデバイスに予め設定ファイルが格納されている場合に、新たに作成された設定ファイルをＵＳＢデバイスに追加保存することができる。従って、種々のパターンで原稿を読み取り画像ファイルを生成する必要のあるユーザは、複数の設定ファイルをＵＳＢデバイスに保持することにより、所望の生成条件を簡易に設定でき、好適である。
【００７０】
また、実施例の複合機１０によれば、ユーザは、設定ファイルから設定された生成条件のパラメータを任意に変更できるため、ユーザの利便性を向上できる。
【００７１】
Ｂ．変形例：
（１）上述された実施例では、予めＵＳＢメモリ７０に格納されている設定ファイルを作成された設定ファイルに置き換えるか否かをユーザに判断させることとしたがこれに限られない。例えば、設定ファイル作成モジュール３３は、予めＵＳＢメモリ７０に格納されている設定ファイルの作成日時が現在日時よりも所定以上前である場合、予めＵＳＢメモリ７０に格納されている設定ファイルを作成された設定ファイルに置き換えると判断してもよい。
【００７２】
以上、本発明の種々の実施例について説明したが、本発明はこれらの実施例に限定されず、その趣旨を逸脱しない範囲で種々の構成をとることができることは言うまでもない。
【図面の簡単な説明】
【００７３】
【図１】第１実施例における画像ファイル生成システムのシステム構成を例示する説明図。
【図２】第１実施例における複合機の機能ブロックを例示する説明図。
【図３】第１実施例における操作パネルを例示する説明図。
【図４】第１実施例における画像ファイル生成処理の全体的な流れを説明するフローチャート。
【図５】第１実施例における生成条件設定処理を詳細に説明するフローチャート。
【図６】第１実施例における設定ファイル格納処理を詳細に説明するフローチャート。
【図７】第１実施例における画像ファイル生成処理における画面例を説明する説明図。
【図８】第１実施例における画像ファイル生成処理における画面例を説明する説明図。
【図９】設定ファイルの内容を例示する説明図である。
【図１０】第１実施例における画像ファイル生成処理における画面例を説明する説明図。
【図１１】画像ファイルの保存先情報について説明する説明図である。
【図１２】第１実施例における画像ファイル生成処理における画面例を説明する説明図。
【符号の説明】
【００７４】
１０…複合機
１１…原稿セットエリア
１５…操作パネル
２０…ＣＰＵ
２２…メモリ
２３…表示制御モジュール
２４…設定ファイル格納部
３０…スキャナ機能モジュール
３１…生成条件設定モジュール
３２…画像ファイル生成モジュール
３３…設定ファイル作成モジュール
３４…保存モジュール
４０…コピー機能モジュール
５０…ファクシミリ機能モジュール
１００…ディスプレイ
１０１…受付部
１０２…キーボタン
１０３…クリアボタン
１０４…スタートボタン
１１０…基本画面
１１１…コピー機能選択ボタン
１１３…スキャン機能選択ボタン
１２０…エラーメッセージ
１３０…生成条件表示画面
１３１…原稿サイズ設定部
１３１ａ…サイズ表示部
１３１ｂ…変更ボタン
１３２…カラーモード設定部
１３２ａ…白黒ボタン
１３２ｂ…カラーボタン
１３２ｃ…グレイボタン
１３３…原稿タイプ設定部
１３３ａ…文字ボタン
１３３ｂ…写真ボタン
１３４…ファイル形式設定部
１３４ａ…ＰＤＦボタン
１３４ｂ…ＴＩＦＦボタン
１３４ｃ…ＪＰＥＧボタン
１３５…設定ファイル選択ボタン
１３６…保存先情報表示部
１３７…保存先情報
１３７ａ…ＵＳＢデバイス情報
１３７ｂ…ディレクトリ情報
１３７ｃ…ファイル名
１４０…保存先選択画面
１４１…保存先リスト
１４３…キャンセルボタン
１４５…決定ボタン
２００…設定ファイル
２０１…パラメータ
２０２…パラメータ
２０３…パラメータ
２０４…パラメータ
２０５…パラメータ
２０６…パラメータ
１０００…画像ファイル生成システム
【図１】
0004696829.tif 000002
【図２】
0004696829.tif 000003
【図３】
0004696829.tif 000004
【図４】
0004696829.tif 000005
【図５】
0004696829.tif 000006
【図６】
0004696829.tif 000007
【図７】
0004696829.tif 000008
【図８】
0004696829.tif 000009
【図９】
0004696829.tif 000010
【図１０】
0004696829.tif 000011
【図１１】
0004696829.tif 000012
【図１２】
0004696829.tif 000013